(57)【要約】【課題】膝部固定用粘着テープを用いたテーピング方法に関し、詳しくは特定形状の粘着テープを膝部位に特定の貼付方法にて貼付するテーピング方法を提供するものである。【解決手段】支持基材の片面に粘着剤層が形成された膝部固定用粘着テープを用いたテーピング方法であり、膝部固定用粘着テープは膝頭を下方部から支える矩形状の第１テープ材と、下腿部上部に巻回固定する矩形状の第２テープ材を具備すると共に、第1テープ材および第２テープ材がそれぞれの中央領域で一体化されており、第１テープ材および第２テープ材の中央領域が膝頭の下部に位置するように貼付すると共に、膝頭を下方部から支持するように第１テープ材の両端部を貼付し、脛上部から脹脛上部に向けて下腿部を巻回するように第２テープ材の両端部を貼付することを特徴とする。【選択図】  図３
2016067359.tif 000002
【特許請求の範囲】
【請求項１】
支持基材の片面に粘着剤層が形成された膝部固定用粘着テープを用いたテーピング方法であって、膝部固定用粘着テープは膝頭を下方部から支える矩形状の第１テープ材と、下腿部上部に巻回固定する矩形状の第２テープ材を具備すると共に、第1テープ材および第２テープ材がそれぞれの中央領域で一体化されており、第１テープ材および第２テープ材の中央領域が膝頭の下部に位置するように貼付すると共に、膝頭を下方部から支持するように第１テープ材の両端部を貼付し、脛上部から脹脛上部に向けて下腿部を巻回するように第２テープ材の両端部を貼付することを特徴とするテーピング方法。
【請求項２】
膝部固定用粘着テープにおける第１テープ材と第２テープ材が、切れ目によって形成されている請求項１記載のテーピング方法。
【請求項３】
膝部固定用粘着テープにおける第１テープ材の長さよりも、第２テープ材の長さが長い請求項１記載のテーピング方法。
【請求項４】
膝部固定用粘着テープにおける第１テープ材および第２テープ材の端部が、舌状に形成されている請求項１記載のテーピング方法。
【請求項５】
支持基材が、強撚布または伸縮性布、ならびにこれらの布の表面に伸縮性プラスチックシートを積層してなる積層布から選ばれる一種の布基材である請求項１記載のテーピング方法。
【請求項６】
伸縮性布が、強撚布または伸縮性織布である請求項５記載のテーピング方法。
【請求項７】
膝部固定用粘着テープの粘着剤層は、剥離ライナーで被覆されていると共に、該剥離ライナーには複数箇所に分断用の背切りが施されている請求項１記載のテーピング方法。
【発明の詳細な説明】
【技術分野】
【０００１】
本発明は膝部固定用粘着テープを用いたテーピング方法に関し、詳しくは特定形状の粘着テープを膝部位に特定の貼付方法にて貼付することによって、大腿四頭筋の緊張を和らげてハムストリングスとのバランスをとり、膝の伸展や屈曲のバランスをとると共に、膝周りの半月板にかかる負担を軽減することができるテーピング方法に関するものである。
【背景技術】
【０００２】
従来から膝や肘、手首などの関節部に発生する痛みに多くの人が悩まされてきた。関節部は人間の動作に深く関与しているため、この部位に痛みが生じると、日常の動作が困難になることが多い。特に膝関節は歩行障害を招いて寝たきりになるなど、肉体的ばかりでなく精神的にも深刻な問題が発生する。このような関節部に発生する痛みの原因は多くあるが、その一つに関節軟骨の変形と磨耗が挙げられる。関節軟骨の変形と磨耗の進行に関与するのは、加齢による関節部周囲の筋力の低下、過使用、肥満などで、これらは特に体重の負荷の大きい膝関節に影響する。前記したように、膝関節の痛みは深刻な問題であるが、近年の高齢化社会、健康志向による過度の運動、食生活の変化による肥満人の増加という状況から明らかなように、膝関節に痛みを有する人口は増加する傾向にある。そのため、関節部に生じる痛みへの対策が強く要求されてきており、現在もその治療方法について、様々な検討がされている。
【０００３】
このような関節部の痛みを軽減する方法としては、痛み止め、筋弛緩剤などの飲み薬や局所注射等による薬物治療、レーザーや干渉波やマイクロウェーブなどによって消炎鎮痛させる理学療法、また、骨きり術や人工関節全置換術などの手術治療など、様々な方法が挙げられるが、その一つに関節部を固定して痛みを軽減する方法も知られている。この関節部を固定する方法は、薬局などで手軽に入手できる専用の粘着テープによるテーピング方法が用いられるため、前記したような薬物治療や通院、手術等の他の方法よりも、比較的安価にしかも手軽に関節部の痛みを軽減する有効な手段である。しかし、ほとんどの人はテーピングに関する専門の知識を持ち合わせておらず、たとえ専門書などで知識を得たとしても技術の習得が困難であるので、専門のトレーナーにテーピングをしてもらうために整骨院などに通ったりしているのが現状である。しかし、わざわざ整骨院などに通うのは時間も手間がかかり、関節部を痛めた人にとっては大変面倒である。そこで、専門のトレーナーによるテーピングではなく、テーピング素人でも簡単にテーピングできるような製品も各種提案されている。（特許文献１〜３参照）
【０００４】
しかし、たとえテーピングができたとしても、一般に市販されているテーピング用粘着テープとして、全面に粘着加工が施されている粘着テープを用いると、刺激に敏感な関節の内側部位に粘着テープの粘着剤層が直接接すると違和感があり、常に不快感を伴う場合がある。さらに、自然発汗の多い関節の内側部位に粘着剤層が密着すると、この部位の皮膚表面が蒸れて、皮膚刺激が発生する場合があるなどの問題点があった。
【０００５】
さらに、一般的に関節部に対するテーピング方法は、関節部を保護する目的で関節部周囲を囲むように貼付することが一般的であるが、例えば膝部の痛みは上記した関節軟骨の変形や摩耗に起因するだけでなく、過度の運動や負荷により膝関節の周囲にある筋肉である大腿直筋や中間広筋などの大腿四頭筋が緊張することによって、膝周り半月板に負担がかかることによっても生じる。しかし、上記したような関節部だけでなく、周囲の筋肉の緊張をも和らげる効果を発揮するような簡単なテーピング方法については、未だ提言されていないのが実状である。
【先行技術文献】
【特許文献】
【０００６】
【特許文献１】特開２００２−３３０９９１号公報
【特許文献２】実用新案登録第３０８６８６１号公報
【特許文献３】特開２００５−２８０２５号公報
【発明の概要】
【発明が解決しようとする課題】
【０００７】
膝部のテーピングに用いる従来の粘着テープにおける上記課題に鑑みて、本発明はテーピングの専門知識を有しない人にとっても操作が簡便であると共に、膝関節部位に起因する障害の発生の抑制や痛みの低減を目的として、膝関節だけでなく膝周りの筋肉の緊張を和らげることができるテーピング方法を提供することを目的とする。
【課題を解決するための手段】
【０００８】
そこで、本発明者らは上記目的を達成するために鋭意検討を重ねた結果、特定形状の粘着テープを用い、従来にないテーピング方法を提供することによって、専門知識を有しない人であっても簡単に膝部にテーピング用粘着テープを装着することができ、目的とする効果を発揮することができることを見い出し、本発明を完成するに至った。
【０００９】
即ち、本発明は支持基材の片面に粘着剤層が形成された膝部固定用粘着テープを用いたテーピング方法であって、膝部固定用粘着テープは膝頭を下方部から支える矩形状の第１テープ材と、下腿部上部に巻回固定する矩形状の第２テープ材を具備すると共に、第1テープ材および第２テープ材がそれぞれの中央領域で一体化されており、第１テープ材および第２テープ材の中央領域が膝頭の下部に位置するように貼付すると共に、膝頭を下方部から支持するように第１テープ材の両端部を貼付し、脛上部から脹脛上部に向けて下腿部を巻回するように第２テープ材の両端部を貼付することを特徴とするテーピング方法を提供するものである。
【発明の効果】
【００１０】
以上のように、本発明のテーピング方法は、矩形状の第１テープ材と第２テープ材とが中央領域で一体化され、それぞれのテープ材は例えば切れ目によって形成された膝部固定用粘着テープを用い、第１テープ材および第２テープ材の中央領域が膝頭の下部に位置するように貼付すると共に、膝頭を下方部から支持するように第１テープ材の両端部を貼付し、脛上部から脹脛上部に向けて下腿部を巻回するように第２テープ材の両端部を貼付するようにテーピングするものであって、大腿四頭筋の緊張を和らげてハムストリングスとのバランスをとり、膝の伸展や屈曲のバランスをとると共に、膝周りの半月板にかかる負担を軽減することができるという効果を奏するものである。
【図面の簡単な説明】
【００１１】
【図１】本発明のテーピング方法に用いる膝部固定用粘着テープの形状を示す一実例の平面図である。
【図２】図１に示す膝部固定用粘着テープを膝部に貼付する状態を示す説明図である。
【図３】図２に示すように膝部固定用粘着テープを貼付した状態を側方から見た図である。
【図４】図２に示すように膝部固定用粘着テープを貼付した状態を膝裏から見た図である。
【図５】人体下半身における下肢部の筋肉を示す模式図である。
【発明を実施するための形態】
【００１２】
本発明のテーピング方法について、図面を用いて詳細に説明する。図１は本発明のテーピング方法に適する膝部固定用粘着テープの形状を示す一実例の平面図である。図２は、図１に示す膝部固定用粘着テープを膝部に貼付する状態を示す説明図であり、図３は貼付後の膝部を側方から見た図であり、図４は貼付後の膝部を膝裏から見た図である。
【００１３】
図１に示す膝部固定用粘着テープは、支持基材の片面に粘着剤層を形成したものであって、必要に応じて粘着剤層面を剥離ライナーで被覆しておくことが好ましく、また、剥離ライナーには複数箇所に分断用の背切りが施されていることが、さらに好ましい。なお、図1に示す膝部固定用粘着テープは、支持基材面から見た平面図であって、破線は剥離ライナーに形成している背切り（ミシン目）を示している。
【００１４】
膝部固定用粘着テープを構成する支持基材は、片面に粘着剤層を保持するものあって、その適度な伸縮性により膝部周辺の筋肉部に貼付して膝部を固定し、痛みを軽減する効果を付与するものである。この支持基材は、膝部の屈曲運動に対する追従性と粘着固定性を付与するために、粘着テープの長手方向への伸張度が３０％以上であることが好ましい。また、支持基材の伸張度の上限は１１０％がよく、さらに膝部への粘着固定性の点からは４０〜８０％がより好ましいものである。このような支持基材の素材としては、強撚布や伸縮性布、これらの布の表面に伸縮性プラスチックシートを積層してなる積層布などの布基材を用いることができるが、テーピング用途において重要特性である皮膚追従性や粘着固定性などの効果を良好に発揮できるものとしては、強撚布や伸縮性織布などの伸縮性布を用いることが好ましい。また、支持基材の厚みに関しては適宜設定すればよいが、膝部の屈曲運動における追従性を考慮すると、目付量を５０〜４００ｇ/ｍ２の範囲に設定することが好ましく、特に１００〜２００ｇ/ｍ２に設定することがより好ましい。
【００１５】
上記支持基材の片面に形成される粘着剤層は、一般的に市販されているテーピング用の粘着テープの分野などで周知、あるいは実用化されている各種粘着剤から形成することができる。具体的にはアクリル系粘着剤や天然ゴム系粘着剤、合成ゴム系粘着剤、ビニルエーテル系粘着剤、シリコーン系粘着剤、ビニルエーテル系粘着剤などを用いることができるが、低皮膚刺激性や粘着特性の調整のしやすさなどの観点からアクリル系粘着剤を用いることが好ましい。また、低皮膚刺激性を向上させるためには、上記粘着剤に常温で液状の有機化合物を含有させてゲル状を呈する粘着剤を用いることが好ましく、特に好ましくはアクリル系のゲル粘着剤を用いることが望ましい。これらの粘着剤から形成される粘着剤層の厚みに関しては、支持基材の厚みと同様に適宜設定すればよいが、２０〜４００μｍに設定することが好ましく、特に４０〜１２０μｍに設定することがより好ましい。
【００１６】
また、上記粘着剤の塗布形状に関しては、支持基材の片面全面に塗布してもよいが、貼付する皮膚面に蒸れが生じないようにするために、筋状に複数本の粘着剤層を支持基材全面に形成したり、パターン形状に形成することもできる。この場合、筋形状としては直線状や波状、山形形状、鋸歯形状などに形成することができ、パターン形状としては二本の筋形状を組み合わせた菱形形状（網形状）や、丸形形状など種々の形状で粘着剤層を形成することができる。これらのうち、支持基材が布製の場合に支持基材の側縁部の糸のほつれを防止するためには、波状に形成することが特に好ましいものである。
【００１７】
上記の構成からなる膝部固定用粘着テープは、粘着剤層の表面の汚染を防ぐために、使用するまで粘着剤層表面をセパレータにて被覆しておくことが好ましい。このセパレータは一般的に皮膚へ貼付する粘着テープ及びシートなどに用いられるものを使用することができ、具体的には上質紙、グラシン紙、パーチメント紙などの表面に、シリコーン樹脂やフッ素樹脂などの剥離性能を有する剥離剤をコーティングしたものや、上質紙に樹脂層をアンカーコートしたものなどを使用することができる。
【００１８】
上記のように構成された膝部固定用粘着テープは、膝頭を下方部から支える矩形状の第１テープ材と、下腿部上部に巻回固定する矩形状の第２テープ材を具備し、図１に示すような形状を有するものである。この第１テープ材と第２テープ材はそれぞれの中央領域で一体化されているが、図１に示すように切れ目によって、それぞれのテープ材を形成するようにすることが好ましい。
【００１９】
また、固定性の観点から、膝頭下部を固定する第１テープ材の長さよりも、下腿部上部に巻回固定する第２テープ材の長さを長くする方が好ましい。さらに、第１テープ材と第２テープ材の端部は、角部を有する矩形状に形成してもよいが、テーピング後に衣服などの擦れによって角部から剥がれることを防止するためには、図１に示すように舌状の端部とすることが好ましい。
【００２０】
このような形状を有する膝部固定用粘着テープを用いた本発明のテーピング方法は、第１テープ材および第２テープ材の中央領域が膝頭の下部に位置するように貼付すると共に、膝頭を下方部から支持するように第１テープ材の両端部を貼付し、脛上部から脹脛上部に向けて下腿部を巻回するように第２テープ材の両端部を貼付することを特徴とするものである。以下、図面を用いて本発明のテーピング方法について説明する。
【００２１】
図１に示すような膝部固定用粘着テープを、粘着剤層面から剥離ライナーを剥離除去して粘着剤層を露出させ、図２に示すように貼付すべき膝部に当接させる。この際に、膝部固定用粘着テープの中央領域が膝頭の下部に位置するように貼付する。その後、膝頭を下方部から支持するように第１テープ材の両端部を貼付する。つまり、第１テープ材は膝頭（膝蓋骨）を大腿部方向に持ち上げるように貼付することになる。
【００２２】
次いで、第２テープ材を脛上部から脹脛上部に向けて下腿部を巻回するように貼付して、図３に示すようにテーピングを行うものである。この際、第２テープ材は図４に示すように、その両端部は脹脛上部を巻回するように貼付する。このように第２テープ材を貼付することによって、ランニングやウォーキングなどによって疲労して腓骨や脛骨が緩む（広がる）ことを防止することができるのである。
【００２３】
従来から知られているような膝部へのテーピング方法では、膝頭周囲を巻回するようにテープ材を貼付して膝部の関節を固定保護するものであるが、本発明のテーピング方法では、膝部の関節の固定保護ではなく、過度の運動や負荷によって膝関節周囲にある筋肉としての大腿四頭筋（主に、大腿直近や中間広筋など）が付着する膝蓋骨底や脛骨粗部を、下から上へ持ち上げることによって大腿四頭筋の緊張を和らげ、ハムストリングスとのバランスをとって、膝の伸展や屈曲時のバランスをとるものであり、従来のテーピング方法とは根本的に異なるものである。図５に下半身に存在する骨部や筋肉を示しているが、本発明のテーピング方法を採用することによって、膝周りの半月板にかかる負担を軽減できるものである。また、第２テープ材を脛骨粗面を圧迫するように腓腹筋起始部に巻き付けることによって、膝関節の前方への動揺性を減少させることができると共に、ハムストリングスの緊張も和らげるのである。
【実施例】
【００２４】
以下に本発明の実施例を示し、さらに具体的に説明するが、本発明はこれらに限定されるものではなく、本発明の技術的思想を逸脱しない範囲内で種々の応用が可能である。なお、以下の実施例は本発明のテーピング方法に用いるための膝部固定用粘着テープの作製例である。
【００２５】
実施例１
実施例１は図１に図示した形状を有する膝部固定用粘着テープである。まず、紙にシリコーン処理をした剥離ライナー（坪量７０ｇ/ｍ２）上に、アクリル系粘着剤を乾燥後の厚みが８０μｍになるように塗布、乾燥し、この粘着剤層上に支持基材として強撚布（坪量１５０ｇ/ｍ２、荷重１０Ｎ／ｃｍにおける伸張度６５％）を貼り合わせて、支持基材、粘着剤層、剥離ライナーの順に積層された粘着テープを作製した。
【００２６】
次いで、作製した粘着テープを図１に示す形状に打ち抜き加工を施して、本発明のテーピング方法に用いる膝部固定用粘着テープを得た。具体的な寸法としては、第１テープ材が２３０ｍｍ長さで３７．５ｍｍ幅、第２テープ材が３３０ｍｍ長さで３７．５ｍｍ幅、中央領域が３５ｍｍ×７５ｍｍとなるように粘着テープの両端部中央位置から内方に向かって切れ目を施した。また、各テープ材の両端部は舌状になるように加工した。剥離ライナーには図１に示すようにミシン目の背切りを施し、各テープの両端部に位置する剥離ライナーには両端部から３０ｍｍの位置にミシン目の背切りを施した。
【００２７】
実施例２
実施例１における強撚布を、強撚布（坪量２８０ｇ／ｍ２、荷重６Ｎ／ｃｍにおける伸張度９５％）に置き換えた以外は、実施例１と同様にして膝部固定用粘着テープを得た。
【００２８】
実施例３
実施例１において、テープ寸法を第１テープ材が２３０ｍｍ長さで４５ｍｍ幅、第２テープ材が３３０ｍｍ長さで４５ｍｍ幅、中央領域が３５ｍｍ×７５ｍｍとした以外は、実施例１と同様にして膝部固定用粘着テープを得た。
【００２９】
実施例４
実施例１における支持基材としての強撚布を、ウレタンラミネート編布（坪量１００ｇ／ｍ２、荷重１０Ｎ／ｃｍにおける伸張度０％）に置き換えた以外は、実施例１と同様にして膝部固定用粘着テープを得た。
【００３０】
参考例
日東メディカル株式会社が販売する膝部固定用テーピングテープである『ひざかんたんスポーツ』を参考例として用いた。
【００３１】
実施例１〜３、および参考例の膝部固定用粘着テープを、年齢層３０代以上のボランティアランナー１０人の片膝部に貼付し、下記の基準によって貼付性評価を行った。なお、実施例品は本発明のテーピング方法によって膝部に貼付し、参考例品は『ひざかんたんスポーツ』の貼付方法である膝頭の周囲を巻回して膝関節を固定保持するように貼付した。
【００３２】
＜膝関節の痛みの軽減効果＞
膝関節の痛みの軽減効果については、各実施例品および参考例品を貼付して１０ｋｍランニングを行った後に、テーピングをしない方の膝と比べて「膝が非常に楽」「膝の痛みが少ない」「膝が軽い感じ」「変わらない」の４段階で評価し、相当する人数の結果を表１に記す。上記段階のうち、「膝が非常に楽」「膝の痛みが少ない」「膝が軽い感じ」を関節部の痛みの軽減に対して有効とし、有効率を表１に併記した。
なお、各ボランティアには１回のランニング毎に各実施例品および参考例品から１枚を貼付し、膝の痛みや疲れがなくなった後に、２回目以降のランニングを行ってもらい評価した。
【００３３】
【表１】
2016067359.tif 000003
【００３４】
＜装着感＞
装着感については、「非常に快適」「問題なし」「不快に感じる」「非常に不快」の４段階で評価し、相当する人数の結果を表２に記す。上記段階のうち、「非常に快適」「問題なし」を装着感が良好であるのに有効とし、有効率を表２に併記した。
【００３５】
【表２】
2016067359.tif 000004
【００３６】
＜操作性＞
操作性については、「貼りやすい」「問題なし」「貼りがたい」「非常に貼りがたい」の４段階で評価し、相当する人数の結果を表３に記す。上記段階のうち、「貼りやすい」「問題なし」を操作性が良好であるのに有効であるとし、有効率を表３に併記した。
【００３７】
【表３】
2016067359.tif 000005
【００３８】
実施例１〜３の膝部固定用粘着テープを用いた本発明のテーピング方法では、上記の各表から明らかなように、痛みの低減効果、装着感、操作性共に優れた効果（有効率）を示す結果が得られ、非常に優位がテーピング方法であることが明らかである。これらの結果は、参考例の膝部固定用粘着テープ『ひざかんたんスポーツ』を貼着した場合と同等の効果を示すものであり、特にランニング時のテーピングにおいて非常に有用な効果を発揮するものであった。
【符号の説明】
【００３９】
Ａ  膝部固定用粘着テープ
１  第１テープ材
２  第２テープ材
３  中央領域
４  切れ目
５  背切り（ミシン目）
【図１】
2016067359.tif 000006
【図２】
2016067359.tif 000007
【図３】
2016067359.tif 000008
【図４】
2016067359.tif 000009
【図５】
2016067359.tif 000010